(57)【特許請求の範囲】
【請求項１】
天井に取り付けられる照明装置であって、
発光部と、
側面にガイド溝及び係止構造が設けられ、下面に前記発光部が設けられた本体部と、
内側面に第一凸部及び第二凸部が設けられたカバーであって、前記第一凸部が前記ガイド溝に沿って動くように下方から押し上げられることによって前記第二凸部が前記係止構造に引っかかるカバーとを備え、
前記ガイド溝は、
導入部と、
上下方向に延びる第一溝部と、
前記導入部の上端部と前記第一溝部の下端部とをつなぐ、前記上下方向と交差する方向に延びる第二溝部とを含み、
前記上下方向と交差する方向における前記第二凸部の幅は、前記上下方向と交差する方向における前記第一凸部の幅よりも狭く、
前記カバーの前記第二凸部は、前記第一凸部が前記第二溝部に沿って動くように回動された後、前記第一凸部が前記第一溝部に沿って動くように下方から押し上げられることにより、前記係止構造に引っかかる
照明装置。
【請求項２】
前記本体部のうち前記第一溝部の下方には、前記第二凸部が前記係止構造から外れたときに前記第一凸部に接することによって前記カバーの脱落を規制する規制面が設けられ、
前記規制面は、前記導入部に近づくほど高くなるように傾斜し、
前記第一凸部は、前記規制面に沿う形状を有する
請求項１に記載の照明装置。
【請求項３】
さらに、前記本体部内に設けられ、一部が前記本体部よりも下方に突出したセンサを備え、
前記発光部は、前記センサのセンシング結果に応じて発光し、
前記カバーには、前記センサが挿通される第一開口が設けられる
請求項１または２に記載の照明装置。
【請求項４】
さらに、前記本体部内に設けられ、一部が前記本体部よりも下方に突出したつまみであって、前記センサのセンシング結果に応じた前記発光部の発光態様を変更するためのつまみを備え、
前記カバーには、前記つまみが挿通される第二開口が設けられる
請求項３に記載の照明装置。
【請求項５】
前記導入部は、下方に向かうほど幅が広くなる形状を有する
請求項１〜４のいずれか１項に記載の照明装置。
【請求項６】
前記本体部の側面は、円周面であり、
前記上下方向と交差する方向は、前記円周面に沿う周方向であり、
前記カバーは、底部に前記発光部を露出させるための開口が設けられた有底円筒状である
請求項１〜５のいずれか１項に記載の照明装置。
【請求項７】
前記本体部の上面には、前記照明装置を前記天井に設けられた引掛シーリングボディに取り付けるための端子が設けられ、
前記照明装置は、前記端子が前記引掛シーリングボディに設けられた端子挿通孔に挿入された状態で回動されることにより、前記引掛シーリングボディに取り付けられる
請求項１〜６のいずれか１項に記載の照明装置。
【発明の詳細な説明】
【技術分野】
【０００１】
本発明は、天井に取り付けられる照明装置に関する。
【背景技術】
【０００２】
近年、天井に取り付けられるＬＥＤ照明装置が普及しつつある。例えば、特許文献１には、被取付部に取り付けられるランプ本体と、ランプ本体に装着される透光性カバーとを備えるＬＥＤ照明装置が開示されている。
【先行技術文献】
【特許文献】
【０００３】
【特許文献１】特開２０１５−１９５１６０号公報
【発明の概要】
【発明が解決しようとする課題】
【０００４】
照明装置において、本体部にカバーが強固に取り付けられてしまうと、メンテナンスなどのためにカバーを取り外すことが難しくなる。一方で、本体部からカバーが脱落してしまうことは危険であるため、カバーは、程よい力で本体部に保持されることが望ましい。
【０００５】
本発明は、カバーの保持力の調整が容易な照明装置を提供する。
【課題を解決するための手段】
【０００６】
本発明の一態様に係る照明装置は、天井に取り付けられる照明装置であって、発光部と、側面にガイド溝及び係止構造が設けられ、下面に前記発光部が設けられた本体部と、内側面に第一凸部及び第二凸部が設けられたカバーであって、前記第一凸部が前記ガイド溝に沿って動くように下方から押し上げられることによって前記第二凸部が前記係止構造に引っかかるカバーとを備え、前記ガイド溝は、導入部と、上下方向に延びる第一溝部と、前記導入部の上端部と前記第一溝部の下端部とをつなぐ、前記上下方向と交差する方向に延びる第二溝部とを含み、前記上下方向と交差する方向における前記第二凸部の幅は、前記上下方向と交差する方向における前記第一凸部の幅よりも狭い。
【発明の効果】
【０００７】
本発明によれば、カバーの保持力の調整が容易な照明装置が実現される。
【図面の簡単な説明】
【０００８】
【図１】図１は、実施の形態１に係る照明装置の下方から見た外観斜視図である。
【図２】図２は、本体部とカバーとに分離された照明装置の下方から見た外観斜視図である。
【図３】図３は、本体部とカバーとに分離された照明装置の上方から見た外観斜視図である。
【図４】図４は、本体部の拡大図である。
【図５Ａ】図５Ａは、カバーを本体部に取り付けるときの第一段階を示す図である。
【図５Ｂ】図５Ｂは、カバーを本体部に取り付けるときの第二段階を示す図である。
【図５Ｃ】図５Ｃは、カバーを本体部に取り付けるときの第三段階を示す図である。
【図６】図６は、カバーの内側面の拡大図である。
【図７】図７は、変形例に係る照明装置の外観斜視図である。
【発明を実施するための形態】
【０００９】
以下、実施の形態について、図面を参照しながら具体的に説明する。なお、以下で説明する実施の形態は、いずれも包括的または具体的な例を示すものである。以下の実施の形態で示される数値、形状、材料、構成要素などは、一例であり、本発明を限定する主旨ではない。また、以下の実施の形態における構成要素のうち、最上位概念を示す独立請求項に記載されていない構成要素については、任意の構成要素として説明される。
【００１０】
また、各図は、模式図であり、必ずしも厳密に図示されたものではない。なお、各図において、実質的に同一の構成に対しては同一の符号を付しており、重複する説明は省略または簡略化される場合がある。
【００１１】
以下の実施の形態の図面においては、Ｚ軸方向は、例えば上下方向（鉛直方向）であり、Ｚ軸＋側は、上側または天井側と記載される場合がある。また、Ｚ軸−側は、下側または光出射側と記載される場合がある。また、Ｘ軸方向及びＹ軸方向は、Ｚ軸に垂直な平面（水平面）上において、互いに直交する方向である。
【００１２】
また、図面においては、ネジ穴など、同一の機能を有し複数設けられる構造または部材については、１つの構造または部材にのみ符号が付されている場合がある。
【００１３】
（実施の形態１）
まず、実施の形態１に係る照明装置の構成について詳細に説明する。図１は、実施の形態１に係る照明装置の下方から見た外観斜視図である。図２は、本体部とカバーとに分離された照明装置の下方から見た外観斜視図である。図３は、本体部とカバーとに分離された照明装置の上方から見た外観斜視図である。なお、図１では、照明装置１０の中心軸Ｊ（以下、単に軸Ｊとも記載する）、及び、周方向θも図示されている。周方向θは、上下方向に交差する方向である。
【００１４】
図１〜図３に示されるように、照明装置１０は、発光部２０と、本体部３０と、カバー４０と、人感センサ５０と、照度センサ５５と、つまみ６０と、端子台７０と、回路収容部８０とを備える。
【００１５】
照明装置１０は、天井に直接取り付けられ、主に下方を照らすシーリングライトである。照明装置１０は、具体的には、本体部３０が木ねじによって天井に取り付けられた後、カバー４０が本体部３０に取り付けられる。照明装置１０の平面視形状（軸Ｊの方向から見た形状）は、円形である。
【００１６】
発光部２０は、照明装置１０の光源として機能する。発光部２０は、具体的には、基板上に直接実装されたＬＥＤチップが、蛍光体を含有する透光性樹脂によって封止されたＣＯＢ（Ｃｈｉｐ  Ｏｎ  Ｂｏａｒｄ）型の発光モジュールである。発光部２０は、例えば、白色光を下方に向けて発する。発光部２０の光軸は、軸Ｊに一致する。
【００１７】
発光部２０は、本体部３０の下面３１にねじ止めされる。発光部２０の平面視形状は、円形であるが、特に限定されない。発光部２０の平面視形状は、例えば、円環状であってもよい。
【００１８】
本体部３０は、平たい略円柱状（略扁平状）の部材であり、２つのねじ挿通孔３７のそれぞれに下方から挿通される木ねじによって天井に取り付けられる。本体部３０の平面視形状は、直径１０ｃｍ〜１５ｃｍ程度の円形である。本体部３０の側面３２は、円周面である。本体部３０は、例えば、アルミニウムがダイカスト鋳造されることにより形成される。本体部３０は、その他の金属材料または樹脂材料によって形成されてもよい。
【００１９】
本体部３０の上面には、部品を収容するための凹部が設けられている。凹部には、端子台７０及び回路収容部８０などが収容される。
【００２０】
端子台７０は、電線挿通孔７１が設けられた部材である。端子台７０の内部には、回路収容部８０に収容された電源回路に電気的に接続された端子が収容されている。電線挿通孔７１に、天井から引き出された電線の端部（電線の芯線）が挿入されると、当該電線は上記端子に電気的に接続される。ここで、電線は、外部交流電源（電力系統）に電気的に接続されている。このため、電線の端部が端子台７０内の端子に電気的に接続されると、電線によって外部交流電源と回路収容部８０内の電源回路とが電気的に接続される。なお、照明装置１０は、２つの端子台７０を備える。
【００２１】
回路収容部８０は、内部に、電源回路（電源回路を構成する回路部品）及び制御回路が実装された基板（電源回路基板）を有する電源ユニットである。
【００２２】
電源回路は、電線挿通孔７１に挿通された電線を介して外部交流電源から供給される交流電力を、発光部２０が発光するための直流電力に変換する。この直流電力は、制御回路によって発光部２０に供給される。電源回路は、具体的には、整流回路及びインバータ回路などを含む。
【００２３】
制御回路は、人感センサ５０及び照度センサ５５のセンシング結果に応じて発光部２０を発光させるための制御回路である。制御回路は、例えば、人感センサ５０によって人がセンシングされると、一定時間、発光部２０に直流電力を供給し、その後、直流電力の供給を停止する。つまり、発光部２０は、制御回路の制御に基づいて、人感センサ５０のセンシング結果に応じて発光する。
【００２４】
また、制御回路は、照度センサ５５の明るさに応じて上記一定時間の長さを変更することもできる。制御回路は、具体的には、タイマ回路などを含む。
【００２５】
本体部３０の下面３１の中央部分には発光部２０が設けられる。また、本体部３０の下面３１のうち、発光部２０の周縁部には、人感センサ５０、照度センサ５５、及び、つまみ６０が設けられる。
【００２６】
人感センサ５０は、照明装置１０の周辺における人の存在の有無をセンシングするセンサである。人感センサ５０は、本体部３０内に設けられ、一部が本体部３０よりも下方に突出したセンサである。人感センサ５０は、具体的には焦電センサであり、人の体から放出される赤外線による温度変化をセンシングする。人感センサ５０は、超音波などで人の存在の有無をセンシングするセンサであってもよい。
【００２７】
照度センサ５５は、照明装置１０の周辺における明るさをセンシングするセンサである。照度センサ５５は、例えば、フォトダイオードなどの受光素子を用いて照明装置１０の周辺における明るさをセンシングする。
【００２８】
つまみ６０は、本体部３０内に設けられ、一部が本体部３０よりも下方に突出したつまみである。つまみ６０は、人感センサ５０及び照度センサ５５のセンシング結果に応じた発光部２０の発光態様を変更する（切り替える）ためのつまみである。ユーザは、つまみ６０により、上記一定時間の長さ（発光部２０の発光時間の長さ）を変更することができる。
【００２９】
本体部３０の側面３２には、ガイド溝３５ａ、ガイド溝３５ｂ、及び、ガイド溝３５ｃが設けられる。ガイド溝３５ａは、カバー４０の内側面４１に設けられた第一凸部４２ａが挿通される溝である。同様に、ガイド溝３５ｂは、第一凸部４２ｂが挿通される溝であり、ガイド溝３５ｃは、第一凸部４２ｃが挿通される溝である。ガイド溝３５ａ、ガイド溝３５ｂ、及び、ガイド溝３５ｃは、周方向θにおける間隔が等しくなるように本体部３０の側面３２に配置されている。
【００３０】
ガイド溝３５ａは、具体的には、導入部３１ａ、第一溝部３３ａ、及び、第二溝部３２ａを含む。ガイド溝３５ｂ及びガイド溝３５ｃも同様の構成である。ガイド溝３５ａ、ガイド溝３５ｂ、及び、ガイド溝３５ｃの詳細な構成については後述される。
【００３１】
また、本体部３０の側面３２には、ガイド溝３５ａ、ガイド溝３５ｂ、及び、ガイド溝３５ｃとは別に、係止構造３６ａ、係止構造３６ｂ、及び、係止構造３６ｃが設けられる。係止構造３６ａ、係止構造３６ｂ、及び、係止構造３６ｃは、周方向θにおける間隔が等しくなるように本体部３０の側面３２に配置される。
【００３２】
係止構造３６ａには、カバー４０の第二凸部４３ａが引っかかり、係止構造３６ｂには、第二凸部４３ｂが引っかかり、係止構造３６ｃには、第二凸部４３ｃが引っかかる。これにより、カバー４０が本体部３０に保持される。係止構造３６ａ、係止構造３６ｂ、及び、係止構造３６ｃの詳細な構成については後述される。
【００３３】
カバー４０は、本体部３０の表面（下面３１及び側面３２）の凹凸構造を隠すためのカバーである。カバー４０によれば、照明装置１０の意匠性が高められる。カバー４０は、底部に発光部２０を露出させるための円形の開口４２が設けられた有底円筒状であり、本体部３０の下面３１の一部と、本体部３０の側面３２の全部とを覆う。カバー４０は、透光性を有しない。なお、カバー４０が透光性を有することにより、開口４２が設けられなくてもよい。
【００３４】
カバー４０は、例えば、アクリロニトリルスチレンアクリレート（ＡＳＡ：Ａｃｒｙｌｏｎｉｔｒｉｌｅ  Ｓｔｙｒｅｎｅ  Ａｃｒｙｌａｔｅ）樹脂によって形成される。カバー４０は、ポリブチレンテレフタレート（ＰＢＴ：Ｐｏｌｙｂｕｔｙｌｅｎｅ  Ｔｅｒｅｐｈｔｈａｌａｔｅ）等の他の樹脂材料によって形成されてもよい。また、カバー４０は、アルミニウムなどの金属材料によって形成されてもよい。
【００３５】
カバー４０の底部には、開口４２の他に、開口４４、開口４５、及び、開口４６が設けられる。
【００３６】
開口４４は、照度センサ５５が照明装置１０の周辺における明るさをセンシングするための窓として機能する開口である。開口４４は、開口４２よりも径の小さい円形の開口である。
【００３７】
開口４５は、第一開口の一例であって、人感センサ５０が挿通される開口である。人感センサ５０は、照明装置１０の周辺における人の存在の有無をセンシングするために開口４５を通じて外部に露出している。開口４５は、開口４２よりも径の小さい円形の開口である。
【００３８】
開口４６は、第二開口の一例であって、つまみ６０が挿通される開口である。つまみ６０は、ユーザがつまみ６０を操作できるように開口４６を通じて外部に露出している。開口４６は、開口４２よりも径の小さい円形の開口である。
【００３９】
なお、カバー４０を周方向θに沿って回動させることにより、本体部３０に係合させる方法が知られているが、人感センサ５０が開口４５を通じて突出するような場合、人感センサ５０によってカバー４０の回動が妨げられる。このため、照明装置１０では、カバー４０は、回動されるのではなく押し上げられることにより本体部３０に係合する。
【００４０】
カバー４０の内側面４１は、本体部３０の側面３２と対向する円周面であり、本体部３０を側方から囲む。内側面４１には、第一凸部４２ａ、第一凸部４２ｂ、及び、第一凸部４２ｃが設けられる。第一凸部４２ａは、ユーザがカバー４０を本体部３０に取り付けるときに、ガイド溝３５ａに挿通される。同様に、第一凸部４２ｂは、ガイド溝３５ｂに挿通され、第一凸部４２ｃは、ガイド溝３５ｃに挿通される。第一凸部４２ａ、第一凸部４２ｂ、及び、第一凸部４２ｃは、周方向θにおける間隔が等しくなるように、内側面４１に配置される。
【００４１】
また、内側面４１には、第二凸部４３ａ、第二凸部４３ｂ、及び、第二凸部４３ｃが設けられる。第一凸部４２ａがガイド溝３５ａに沿って動くようにカバー４０が下方から押し上げられることによって、第二凸部４３ａは係止構造３６ａに引っかかり、第二凸部４３ｂは係止構造３６ｂに引っかかり、第二凸部４３ｃは係止構造３６ｃに引っかかる。これにより、カバー４０は、本体部３０に保持される。第二凸部４３ａ、第二凸部４３ｂ、及び、第二凸部４３ｃは、周方向θにおける間隔が等しくなるように、内側面４１に配置される。
【００４２】
［ガイド溝及び係止構造の詳細構成］
次に、ガイド溝３５ａ及び係止構造３６ａの詳細構成について、図４及び図５Ａ〜図５Ｃを参照しながら説明する。図４は、本体部３０の拡大図である。図５Ａは、カバー４０を本体部３０に取り付けるときの第一段階を示す図である。図５Ｂは、カバー４０を本体部３０に取り付けるときの第二段階を示す図である。図５Ｃは、カバー４０を本体部３０に取り付けるときの第三段階を示す図である。
【００４３】
まず、ガイド溝３５ａの詳細構成について説明する。なお、ガイド溝３５ｂ及びガイド溝３５ｃの詳細構成についてはガイド溝３５ａと同様であるため説明が省略される。
【００４４】
上述のように、ガイド溝３５ａは、第一凸部４２ａが挿通される溝である。ガイド溝３５ａは、本体部３０の側面において下端から上端にまで達している。ガイド溝３５ａは、具体的には、導入部３１ａ、第一溝部３３ａ、及び、第二溝部３２ａを含む。
【００４５】
導入部３１ａは、カバー４０を本体部３０に取り付けるときに、最初に第一凸部４２ａが通る部分である。図５Ａに示されるように、カバー４０が下方から押し上げられることにより、第一凸部４２ａは、導入部３１ａ内を下方から上方に向かって動く。カバー４０は、第一凸部４２ａが規制面３２ｄに当たるまで押し上げられる。規制面３２ｄは、導入部３１ａの上方に位置し、第一凸部４２ａの上方への移動を規制する面である。また、規制面３２ｄは、第二溝部３２ａを規定する面でもある。
【００４６】
なお、導入部３１ａは、下方に向かうほど幅が広くなる形状を有する。これにより、ユーザが導入部３１ａに第一凸部４２ａを挿入しやすくなる。
【００４７】
第二溝部３２ａは、ガイド溝３５ａのうち周方向θに沿って延びる部分である。また、第二溝部３２ａは、導入部３１ａの上端部と第一溝部３３ａの下端部とをつなぐ部分でもある。
【００４８】
第一凸部４２ａが規制面３２ｄに当たった後、ユーザは、カバー４０を周方向θに沿って回動させる。これにより、図５Ｂに示されるように、第一凸部４２ａは、第二溝部３２ａに沿って周方向θに移動する。カバー４０は、第一凸部４２ａが規制面３２ｅに当たるまで回動される。規制面３２ｅは、第一凸部４２ａの周方向θに沿う移動を規制する面である。規制面３２ｅは、第二溝部３２ａの第一溝部３３ａ側の端を規定する面でもある。
【００４９】
第一溝部３３ａは、ガイド溝３５ａのうち上下方向に延びる部分である。第一凸部４２ａが規制面３２ｅに当たった後、ユーザは、カバー４０をさらに押し上げる。これにより、図５Ｃに示されるように、第一凸部４２ａは、第一溝部３３ａに沿って上方に移動する。第一凸部４２ａがある程度移動すると、第二凸部４３ａは、係止構造３６ａの突起３６ｅを乗り越える。そうすると、ユーザがカバー４０から手を離しても第二凸部４３ａが突起３６ｅに係止する。これにより、カバー４０の本体部３０への取り付けが完了する。なお、このとき、第一凸部４２ａは、本体部３０に引っかかっていない。つまり、第一凸部４２ａは、本体部３０に支持されていない。
【００５０】
次に、上記図４を参照しながら係止構造３６ａの詳細構成についてさらに説明する。なお、係止構造３６ｂ及び係止構造３６ｃの詳細構成については、係止構造３６ａと同様であるため説明が省略される。
【００５１】
係止構造３６ａは、溝３６ｄと、溝３６ｄ内に設けられた突起３６ｅとを有する凹凸構造である。係止構造３６ａは、本体部３０の側面３２の下端部に設けられる。周方向θにおいて、係止構造３６ａの位置は、ガイド溝３５ａの位置と異なる。
【００５２】
溝３６ｄは、上下方向に延びる溝であり、第二凸部４３ａが挿通される。突起３６ｅは、溝３６ｄ内に設けられ、溝３６ｄを上部および下部に区切る突起である。上述のように、第一凸部４２ａが第一溝部３３ａに沿って移動すると、第二凸部４３ａは、突起３６ｅを乗り越えて溝３６ｄの下部から上部に移動し、突起３６ｅに引っかかる。突起３６ｅの表面は、第二凸部４３ａが突起３６ｅを乗り越えやすくするために曲面となっている。
【００５３】
なお、溝３６ｄの下端部は、下方に向かうほど幅が広くなる形状を有する。これにより、ユーザが溝３６ｄに第二凸部４３ａを挿入しやすい効果が得られる。
【００５４】
［第一凸部及び第二凸部の詳細構成］
次に、第一凸部４２ａ及び第二凸部４３ａの詳細構成について、図６を参照しながら説明する。図６は、カバー４０の内側面４１の拡大図である。なお、第一凸部４２ｂ及び第一凸部４２ｃの詳細構成については第一凸部４２ａと同様の構成であるため説明が省略される。第二凸部４３ｂ及び第二凸部４３ｃの詳細構成については第二凸部４３ａと同様の構成であるため説明が省略される。
【００５５】
第一凸部４２ａは、金型を用いた樹脂成型により、カバー４０の本体と一体形成される。第一凸部４２ａは、カバー４０の内側面４１のうち上端部に配置される。上述のように、第一凸部４２ａは、ガイド溝３５ａに挿通される。第一凸部４２ａは、本体部３０のうちガイド溝３５ａを規定する面（壁面）に当たるため、ある程度の強度が必要である。このため、実施の形態１では、第一凸部４２ａは、単なるリブではなく、環を形成するリブとされている。これにより、第一凸部４２ａは、第二凸部４３ａよりも高い強度を有する。なお、第一凸部４２ａの中心部は窪みを有するが、この窪みは埋められていてもよい。
【００５６】
第二凸部４３ａは、金型を用いた樹脂成型により、カバー４０の本体と一体形成される。第二凸部４３ａは、上下方向に延びるリブ状の突起であり、第一凸部４２ａとは別に設けられる。第二凸部４３ａを周方向θから見た形状は、径方向を高さ方向とし、かつ、中心側に向かうほど幅が狭まる台形（等脚台形）である。
【００５７】
第二凸部４３ａは、カバー４０の内側面４１のうち下端部に配置される。また、周方向θにおいて、第二凸部４３ａの位置は、第一凸部４２ａの位置と異なっている。このように、照明装置１０では、ガイド用の凸部である第一凸部４２ａと、カバー４０を本体部３０に係止させるための凸部である第二凸部４３ａとが別々に設けられている。
【００５８】
照明装置１０のように、カバー４０を押し上げて本体部３０に係止させる構造では、第二凸部４３ａの周方向θにおける幅（以下、単に幅と記載される）を微調整することにより、カバー４０の保持力（外れにくさ）を調整することができる。このような微調整は、例えば、カバー４０を形成するための樹脂成型において、金型または成型条件等を変更することにより行われる。
【００５９】
一方で、第二凸部４３ａの元々の幅が広いと、成型条件等の変更により幅が微調整されたとしても、カバー４０の保持力はあまり変わらない。そこで、第二凸部４３ａは、周方向θにおける幅が狭くなるように形成されている。具体的には、周方向θにおける第二凸部４３ａの幅は、周方向θにおける第一凸部４２ａの幅よりも狭い。これにより、カバー４０の保持力の調整が容易となる。
【００６０】
このように凸部の幅を狭くすることは、当該凸部が、カバー４０の係止用としてだけでなくガイド構造としても利用される場合には困難である。なぜなら、凸部にガイド構造を持たせるためには、強度を確保する必要があるため、凸部にある程度の幅が必要となるからである。
【００６１】
そこで、照明装置１０では、ガイド用の凸部である第一凸部４２ａと、カバー４０を本体部３０に係止させるための凸部である第二凸部４３ａとが別々に設けられている。したがって、照明装置１０では、周方向θにおける第二凸部４３ａの幅を、周方向θにおける第一凸部４２ａの幅よりも狭くして、カバー４０の保持力の調整を容易にすることができる。
【００６２】
ところで、照明装置１０では、第二凸部４３ａが係止構造３６ａから外れたとしても、カバー４０は、即座に本体部３０から脱落しない。なぜなら、第一凸部４２ａが第一溝部３３ａの下方に位置する規制面３８ａ（図４で図示）に引っかかるためである。このように、規制面３８ａは、第二凸部４３ａが係止構造３６ａから外れたときに第一凸部４２ａに接することによってカバー４０の脱落を規制する。これにより、照明装置１０の安全性が高められている。
【００６３】
なお、規制面３８ａは、導入部３１ａに近づくほど高さが高くなるように傾斜した傾斜面である。そして、第一凸部４２ａの下面は、規制面３８ａに面接触するように一部が傾斜している。つまり、第一凸部４２ａは、規制面３８ａに沿う形状を有する。これにより、第一凸部４２ａの位置が、多少、導入部３１ａ側に寄ったとしても、第一凸部４２ａが規制面３８ａに沿って導入部３１ａと反対側に向かって滑り落ちる。したがって、第一凸部４２ａが導入部３１ａを通じて下方に移動すること、つまり、カバー４０が脱落することがさらに抑制される。
【００６４】
［変形例］
照明装置１０は、本体部３０が天井にねじ止めされることによって、天井に取り付けられるが、照明装置１０は、天井に設けられた引掛シーリングボディに取り付けられてもよい。図７は、このような変形例に係る照明装置の外観斜視図である。
【００６５】
図７に示される照明装置１０ａは、端子台７０に代えて、回路収容部８０内の電源回路に電気的に接続された端子９０ａ及び端子９０ｂを備える点が照明装置１０と異なる。照明装置１０ａのその他の構成は、照明装置１０と同様である。
【００６６】
端子９０ａ及び端子９０ｂは、天井に設けられた引掛シーリングボディ１００に、照明装置１０ａを取り付けるための端子である。端子９０ａ及び端子９０ｂは、本体部３０の上面に設けられる。
【００６７】
照明装置１０ａは、例えば、カバー４０が本体部３０に取り付けられた完成状態で、引掛シーリングボディ１００に取り付けられる。完成状態の照明装置１０ａの取り付けにおいては、まず、端子９０ａが引掛シーリングボディ１００に設けられた端子挿通孔１０１ａに挿入され、かつ、端子９０ｂが引掛シーリングボディ１００に設けられた端子挿通孔１０１ｂに挿入される。次に、この状態で照明装置１０ａが周方向θに沿って回動される。これにより、照明装置１０ａは、引掛シーリングボディ１００に電気的及び機械的に取り付けられる。
【００６８】
なお、第一凸部４２ａのガイド溝３５ａを形成する壁面との間の遊び（周方向θにおける隙間）は、第二凸部４３ａと溝３６ｄを形成する壁面との間の遊び（周方向θにおける隙間）よりも小さい。したがって、ユーザがカバー４０の側面を保持して照明装置１０ａを回動させるときには、強度の強い第一凸部４２ａがガイド溝３５ａを形成する壁面に当たり、幅が狭い第二凸部４３ａは、溝３６ｄを形成する壁面に当たらない。よって、第一凸部４２ａよりも強度の低い第二凸部４３ａの破損が抑制される。
【００６９】
［効果等］
以上説明したように、照明装置１０は、天井に取り付けられる照明装置である。照明装置１０は、発光部２０と、側面３２にガイド溝３５ａ及び係止構造３６ａが設けられ、下面３１に発光部２０が設けられた本体部３０とを備える。また、照明装置１０は、内側面４１に第一凸部４２ａ及び第二凸部４３ａが設けられたカバー４０であって、第一凸部４２ａがガイド溝３５ａに沿って動くように下方から押し上げられることによって第二凸部４３ａが係止構造３６ａに引っかかるカバー４０とを備える。
【００７０】
ガイド溝３５ａは、導入部３１ａと、上下方向に延びる第一溝部３３ａと、導入部３１ａの上端部と第一溝部３３ａの下端部とをつなぐ、上下方向と交差する方向（周方向θ）に延びる第二溝部３２ａとを含む。上下方向と交差する方向における第二凸部４３ａの幅は、上下方向と交差する方向における第一凸部４２ａの幅よりも狭い。
【００７１】
これにより、カバー４０の保持力の調整が容易となる。また、第二溝部３２ａが設けられることによって、第二凸部４３ａが係止構造３６ａから外れたとしてもカバー４０が即座に落下しないため、安全性が高められる。
【００７２】
また、本体部３０のうち第一溝部３３ａの下方には、第二凸部４３ａが係止構造３６ａから外れたときに第一凸部４２ａに接することによってカバー４０の脱落を規制する規制面３８ａが設けられてもよい。規制面３８ａの高さは、導入部３１ａに近づくほど高くなり、第一凸部４２ａは、規制面３８ａに沿う形状を有してもよい。
【００７３】
これにより、第一凸部４２ａの位置が、多少、導入部３１ａ側に寄ったとしても、第一凸部４２ａが規制面３８ａに沿って導入部３１ａと反対側に向かって滑り落ちる。したがって、カバー４０が脱落することがさらに抑制される。
【００７４】
また、さらに、本体部３０内に設けられ、一部が本体部３０よりも下方に突出した人感センサ５０を備えてもよい。発光部２０は、人感センサ５０のセンシング結果に応じて発光し、カバー４０には、人感センサ５０が挿通される開口４５が設けられてもよい。人感センサ５０は、センサの一例であり、開口４５は、第一開口の一例である。
【００７５】
これにより、照明装置１０は、人感センサ５０のセンシング結果に応じて発光することができる。
【００７６】
また、さらに、本体部３０内に設けられ、一部が本体部３０よりも下方に突出したつまみ６０であって、人感センサ５０のセンシング結果に応じた発光部２０の発光態様を変更するためのつまみ６０を備え、カバー４０には、つまみ６０が挿通される開口４６が設けられてもよい。開口４６は、第二開口の一例である。
【００７７】
これにより、ユーザは、発光部２０の発光態様を変更することができる。
【００７８】
また、導入部３１ａは、下方に向かうほど幅が広くなる形状を有してもよい。
【００７９】
これにより、ユーザが導入部３１ａに第一凸部４２ａを挿入しやすくなる。
【００８０】
また、本体部３０の側面３２は、円周面であり、上下方向と交差する方向は、円周面に沿う周方向θであり、カバー４０は、底部に発光部２０を露出させるための開口が設けられた有底円筒状であってもよい。
【００８１】
これにより、平面視形状が円形の照明装置１０を実現することができる。
【００８２】
また、照明装置１０ａのように、本体部３０の上面には、照明装置１０ａを天井に設けられた引掛シーリングボディ１００に取り付けるための端子９０ａが設けられてもよい。照明装置１０ａは、端子９０ａが引掛シーリングボディ１００に設けられた端子挿通孔１０１ａに挿入された状態で回動されることにより、引掛シーリングボディ１００に取り付けられてもよい。
【００８３】
これにより、ユーザは、照明装置１０ａを引掛シーリングボディ１００に取り付けることができる。
【００８４】
（その他の実施の形態）
以上、実施の形態に係る照明装置について説明したが、本発明は、このような実施の形態に限定されるものではない。
【００８５】
例えば、上記実施の形態では、ガイド溝及び係止構造が本体部の側面に設けられ、第一凸部及び第二凸部がカバーの内側面に設けられた。しかしながら、ガイド溝及び係止構造がカバーの内側面に設けられ、第一凸部及び第二凸部が本体部の側面に設けられてもよい。
【００８６】
また、上記実施の形態で説明された係止構造は、一例である。係止構造は、例えば、第二凸部が引っかかる開口または切り欠きなどを含んでもよい。
【００８７】
また、上記実施の形態で説明された照明装置の形状は、一例である。例えば、上記実施の形態では、本体部の側面は、円周面であったが、平面であってもよい。この場合、カバーは、第一凸部が第二溝部に沿って動くようにスライドされればよい。
【００８８】
また、上記実施の形態では、発光部として、ＣＯＢ型の発光モジュールが用いられたが、発光部の態様は特に限定されるものではない。例えば、ＳＭＤ型の発光モジュールが発光部として用いられてもよい。また、発光部には、ＬＥＤチップを用いた発光モジュールに代えて、蛍光管、メタルハライドランプ、ナトリウムランプ、ハロゲンランプ、キセノンランプ、または、ネオン管等が用いられてもよい。また、発光部には、無機エレクトロルミネッセンス、有機エレクトロルミネッセンス、ケミルミネッセンス（化学発光）、または、半導体レーザー等が用いられてもよい。
【００８９】
以上、一つまたは複数の態様に係る照明装置について、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、一つまたは複数の態様の範囲内に含まれてもよい。
【符号の説明】
【００９０】
１０、１０ａ  照明装置
２０  発光部
３０  本体部
３１  下面
３１ａ  導入部
３２  側面
３２ａ  第二溝部
３２ｄ、３２ｅ、３８ａ  規制面
３３ａ  第一溝部
３５ａ、３５ｂ、３５ｃ  ガイド溝
３６ａ、３６ｂ、３６ｃ  係止構造
４０  カバー
４１  内側面
４２ａ、４２ｂ、４２ｃ  第一凸部
４３ａ、４３ｂ、４３ｃ  第二凸部
４５  開口（第一開口）
４６  開口（第二開口）
５０  人感センサ（センサ）
６０  つまみ
９０ａ、９０ｂ  端子
１００  引掛シーリングボディ
１０１ａ、１０１ｂ  端子挿通孔
【図１】
0006765081.tif 000002
【図２】
0006765081.tif 000003
【図３】
0006765081.tif 000004
【図４】
0006765081.tif 000005
【図５Ａ】
0006765081.tif 000006
【図５Ｂ】
0006765081.tif 000007
【図５Ｃ】
0006765081.tif 000008
【図６】
0006765081.tif 000009
【図７】
0006765081.tif 000010